(57)【特許請求の範囲】
【請求項１】
リール本体に内蔵された巻き取り駆動機構に連結されるハンドルの回転操作により、リール本体に支持されたスプールに釣糸が巻回され、前記ハンドルの操作により回転駆動される駆動軸が軸受によって回転可能に支持される魚釣用リールであって、
前記軸受は、
内輪と、外輪と、内輪と外輪との間に転動可能に介挿される転動体とから成る軸受本体と、
前記軸受本体内に一体に保持されるとともに、前記内輪および前記外輪の少なくとも一方との間で磁気回路を形成し、前記内輪および前記外輪の少なくとも一方と極板との間に保持される磁性流体により前記軸受本体の内部をシールする磁性流体シールと、
を備え、
前記軸受本体の内部への異物の侵入を防止する保護壁が前記軸受本体の側部に近接して対向配置されることを特徴とする魚釣用リール。
【請求項２】
前記駆動軸の外周面には、前記軸受本体へと向かう異物を受けるための環状の凹部または環状の凸部が設けられることを特徴とする請求項１に記載の魚釣用リール。
【請求項３】
前記保護壁は、前記リール本体に着脱自在であり、前記軸受の抜け止めを兼用することを特徴とする請求項１または請求項２に記載の魚釣用リール。
【請求項４】
前記保護壁は、前記内輪と前記駆動軸との間に介挿されるカラー部を有することを特徴とする請求項１ないし請求項３のいずれか１項に記載の魚釣用リール。
【請求項５】
前記保護壁が前記軸受の両側に設けられることを特徴とする請求項１ないし請求項３のいずれか１項に記載の魚釣用リール。
【請求項６】
前記内輪と前記駆動軸との間に介挿されるカラー部を有し、このカラー部は、前記軸受の両側に位置する前記保護壁同士を一体化させることにより、これらの保護壁を前記軸受に一体化させることを特徴とする請求項５に記載の魚釣用リール。
【請求項７】
前記軸受の一方側に位置される前記保護壁と前記カラー部とが一体に形成され、前記軸受の他方側に位置される前記保護壁が前記カラー部に着脱自在に弾性的に係止されることを特徴とする請求項６に記載の魚釣用リール。
【請求項８】
前記内輪および前記駆動軸と対向する前記保護壁の対向端部と前記内輪および前記駆動軸との間には、前記保護壁が前記駆動軸の回転動作と干渉しないようにする隙間が介在することを特徴とする請求項１ないし請求項７のいずれか１項に記載の魚釣用リール。
【請求項９】
前記保護壁が前記軸受の一方側に複数重ねて配置されることを特徴とする請求項１ないし請求項８のいずれか１項に記載の魚釣用リール。
【請求項１０】
前記内輪および前記外輪の両方と極板との間に磁性流体が保持されることを特徴とする請求項１ないし請求項９のいずれか１項に記載の魚釣用リール。
【発明の詳細な説明】
【技術分野】
【０００１】
本発明は、軸受に磁性流体シールが一体に設けられて成る魚釣用リールに関し、特に、磁性流体シールへの異物の侵入を防止する魚釣用リールに関する。
【背景技術】
【０００２】
従来から、磁性流体を用いた磁気シール機構を軸受に適用する魚釣用リールが知られている。例えば特許文献１は、釣糸巻き取り用のハンドルの回転操作に伴って回転駆動される駆動軸（例えば、釣糸巻回用のスプールを回転可能に支持するスプール軸や、スプール軸と継脱されピニオン、あるいは、ハンドル軸など）を回転可能に支持する軸受本体に海水、砂、塵埃等の異物が付着したり浸入したりしないように（すなわち、防水および防塵を図って、軸受の回転性能が低下しないように）磁性流体シールが一体に保持されて成る磁性流体シール付き軸受を開示している。
【先行技術文献】
【特許文献】
【０００３】
【特許文献１】特開２０１３−１１０号公報
【発明の概要】
【発明が解決しようとする課題】
【０００４】
ところで、ハンドルによる釣糸巻き取り操作に連動して駆動する駆動軸では、一般に、その駆動部付近にグリスやオイル等の潤滑剤が塗布されており、そのような潤滑剤が磁性流体シール付き軸受の磁気シール部に付着・侵入することが懸念される。特に、ハンドルの回転駆動力を駆動歯車およびピニオンを介してスプールに伝達するクラッチＯＮ状態と、駆動力伝達状態を解除してスプールをフリー回転状態にするクラッチＯＦＦ状態とに切り換えるクラッチ機構の切り換え操作で軸方向に移動するピニオンの場合には、軸受へのそのような潤滑剤の付着・侵入が生じ易い。すなわち、駆動歯車と噛み合うピニオンの歯部には、通常、グリスが塗布されており、したがって、クラッチ機構の切り換え操作でピニオンが軸方向に移動すると、ピニオンの歯部に塗布されたグリスの分離したオイルが軸方向に移動してしごかれ、そのオイルがピニオンを回転自在に支持する磁性流体シール付き軸受の軸受内部に混入して磁性流体を劣化させてしまう可能性がある。
【０００５】
また、特許文献１に開示される磁性流体シール付き軸受では、磁性流体シールが軸受本体の側部に隣接して配置される構成の場合、磁性流体シールの磁気シールされていない側（磁性流体が保持される側と反対の側）がＯリングを介在してシールされるため、磁気シール部が動き易くなって磁性流体シールが軸受本体と上手く一体化せず、軸受の組み込み性やメンテナンス性が悪くなるという問題がある。この場合、軸受内部に磁性流体シールを組み込む構成とすれば、取り扱い性が便利になるが、軸受本体の外輪または内輪の外周から軸受内部に海水や塵埃等の異物が侵入し易く、耐食性の面で課題が残る。
【０００６】
本発明は、前記事情に着目してなされたものであり、その目的とするところは、磁性流体シールへの異物の侵入を防止して、磁性流体の性能劣化（磁気シール機能の性能劣化）を防止できる磁性流体シール付き軸受を備える魚釣用リールを提供することにある。
【課題を解決するための手段】
【０００７】
前記課題を解決するために、本発明は、リール本体に内蔵された巻き取り駆動機構に連結されるハンドルの回転操作により、リール本体に支持されたスプールに釣糸が巻回され、前記ハンドルの操作により回転駆動される駆動軸が軸受によって回転可能に支持される魚釣用リールであって、前記軸受は、内輪と、外輪と、内輪と外輪との間に転動可能に介挿される転動体とから成る軸受本体と、前記軸受本体内に一体に保持されるとともに、前記内輪および前記外輪の少なくとも一方との間で磁気回路を形成し、前記内輪および前記外輪の少なくとも一方と極板との間に保持される磁性流体により前記軸受本体の内部をシールする磁性流体シールとを備え、前記軸受本体の内部への異物の侵入を防止する保護壁が前記軸受本体の側部に近接して対向配置されることを特徴とする。
【０００８】
上記構成によれば、磁性流体により内部がシールされた軸受の側部に近接して保護壁が対向配置されるため、リール作動時やメンテナンス時（注油時）などにおいてグリスやオイル、あるいは、海水、砂、塵埃等の異物が磁性流体シール付き軸受の軸受内部に混入（付着・侵入）することを防止でき、したがって、磁性流体の性能劣化（磁気シール機能の性能劣化）を防止できる。そのため、駆動軸の回転性能の維持が図れる。
【０００９】
また、上記構成によれば、磁性流体シールが軸受本体内に一体に組み込まれて成るため、軸受の設置スペースとは別にシールのためのスペースを確保する必要がなくなる。そのため、小さいスペースで磁気シールおよび軸受を設置でき、省スペース化を図ることができる。軸受の数が一般に多く且つシールの必要性が高い魚釣用リールにおいてこのような構成を採用することは、軸受と別個に磁気シール機構を設けずに済むため、リール全体の小型化を図ることができ有益である。また、軸受の組み込みとは別に磁気シール機構を組み付ける必要がないため、組み込み性（作業性）が良く、生産性を向上できる（つまり、組み立て作業時間を短くでき、製造コストも低減できる）。また、特に、このような構成では、磁性流体シールの磁気シールされていない側をＯリングを介在してシールする必要がないため、磁気シール部が動き易くなって磁性流体シールが軸受本体と上手く一体化しないという問題を生じさせないで済む。
【００１０】
更に、上記構成において、磁性流体シールは、軸受本体以外の他の部材との間で磁気回路を形成するのではなく、軸受本体の内輪または外輪との間で磁気回路を形成するため、前記他の部材の材料選択の自由度が制限されず（駆動軸等を磁性体で形成する必要がなく）、前記他の部材に必要な要求品質を満足させる自由な材料選択を確保できる（前記他の部材に最適な材料を選択できる）。
【発明の効果】
【００１１】
本発明によれば、磁性流体シールへの異物の侵入を防止して、磁性流体の性能劣化（磁気シール機能の性能劣化）を抑制できる磁性流体シール付き軸受を備える魚釣用リールを提供できる。
【図面の簡単な説明】
【００１２】
【図１】本発明の第１の実施形態に係る磁性流体シール付き軸受を備える魚釣用リール（両軸受型リール）の断面図である。
【図２】図１の魚釣用リールの巻き取り駆動部付近の拡大断面図である。
【図３】図２の要部拡大断面図である。
【図４】図２の構成の磁性流体シール付き軸受付近の拡大断面図である。
【図５】図４の変形例に係る拡大断面図である。
【図６】本発明の第２の実施形態に係る磁性流体シール付き軸受を備える魚釣用リール（両軸受型リール）の要部拡大断面図である。
【図７】図６の構成の磁性流体シール付き軸受付近の拡大断面図である。
【図８】本発明の第３の実施形態に係る磁性流体シール付き軸受を備える魚釣用リール（両軸受型リール）の要部拡大断面図である。
【図９】図８の構成の磁性流体シール付き軸受付近の拡大断面図である。
【発明を実施するための形態】
【００１３】
以下、添付図面を参照して、軸受に磁性流体シールが一体に設けられて成る本発明に係る魚釣用リールについて具体的に説明する。
【００１４】
図１〜図４は、軸受本体に磁性流体シールが一体に設けられて成る本発明の第１の実施形態に係る磁性流体シール付き軸受を備える魚釣用リールを示している。図１および図２は、本実施形態に係る魚釣用リールとしての両軸受型リールの断面図である。図示のように、両軸受型リールのリール本体１は、左右フレーム２ａ，２ｂと、これら左右フレーム２ａ，２ｂに所定の空間をもって装着される左右側板３ａ，３ｂとを備えている。左右フレーム２ａ，２ｂ（左右側板３ａ，３ｂ）間には、磁性流体シールが一体に設けられて成る軸受、すなわち、磁性流体シール付き軸受３０Ａ，３０Ｂを介して、スプール軸５が回転可能に支持されており（図２も参照）、このスプール軸５には、釣糸が巻回されるスプール６が取り付けられている。
【００１５】
右側板３ｂ側には、ハンドル８を装着したハンドル軸９が回転可能に支持されている。このハンドル軸９には、巻き取り駆動機構が連結されており、ハンドル８を回転操作することで、巻き取り駆動機構を介してスプール６が回転駆動されるようになっている。なお、ハンドル軸９は、右側板３ｂとの間に介在された一方向クラッチ１０によって、釣糸巻取方向にのみ回転可能となっている。
【００１６】
前記巻取り駆動機構は、ハンドル軸９にドラグ機構を介して回転可能に支持された駆動歯車１２とこの駆動歯車１２に噛合する駆動軸としてのピニオン１３とを備えている。ピニオン１３は、磁性流体シール付き軸受３０Ｃ，３０Ｄを介して回転可能に支持されるとともに、公知のクラッチ機構を介して軸方向に移動されてスプール軸５と継脱されるように構成されており、クラッチＯＮ状態では、ハンドル８の回転駆動力を駆動歯車１２およびピニオン１３を介してスプール６に伝達し、クラッチＯＦＦ状態では、駆動力伝達状態を解除してスプール６をフリー回転状態にするようになっている。なお、上記したクラッチ動作は、リール本体１から突出した操作レバー（図示せず）を操作することで行なわれる。
【００１７】
左右側板３ａ，３ｂ間には、スプール６の前方に、レベルワインド機構２０が設けられている。レベルワインド機構２０は、スプール６の前方で左右に往復動すると共に、釣糸が挿通される挿通孔を具備した釣糸案内体２１と、左右側板３ａ，３ｂ間に支持され、外周にエンドレスカム溝２３ａが形成されたウォームシャフト２３とを有している。
【００１８】
このウォームシャフト２３は、左右フレーム間に軸受を介して回転可能に支持され、軸方向に沿って貫通孔が形成されている円筒部材２５内に回転可能に収容されており、この貫通孔を介して前記釣糸案内体２１に保持された係合ピンがエンドレスカム溝２３ａと係合して、釣糸案内体２１を左右に往復駆動するようになっている。また、釣糸案内体２１は、往復駆動する際、ウォームシャフト２３の回りでの回り止めが成されるように、左右フレーム間に支持された案内ピラー（図示せず）に支持されている。
【００１９】
ウォームシャフト２３の右側板３ｂ側の端部には、駆動歯車１２と一体回転可能に軸方向に連設された歯車１２ａと噛合する歯車９０が嵌合するように設けられている。この歯車９０には、ハンドル８の巻取り操作による回転駆動力がハンドル軸９、駆動歯車１２および歯車１２ａを介して入力され、その回転駆動力がウォームシャフト２３に出力されるようになっている。
【００２０】
また、本実施形態において、リール本体１の右側板３ｂには、ハンドル８の操作で連動回転する駆動部材としてのハンドル軸９を部分的に収容して軸受により支持する収容凹部１５０が凹状に形成されている。なお、この収容凹部１５０は、前述した逆転防止機構の一方向クラッチ１０を内部に位置決め状態で収容保持する（収容凹部１５０内に逆転防止機構が設けられる）。
【００２１】
また、本構成において、ハンドル軸９の右端部には、公知のドラグ機構７０を構成する操作体７１が螺合されている。この操作体７１を回動操作すると、ハンドル軸９に軸方向移動可能に且つ一体回転可能に嵌合されたカラー部材である第１の押圧体が軸方向に移動し、皿バネ７５を介して一方向クラッチ１０の内輪を兼ねる第２の押圧体７７を押圧し、摩擦部材７８を所望の押圧力で押圧し、ハンドル軸９と歯車１２ａとの間で制動力を生じさせる。
【００２２】
次に、図３および図４を参照して、ピニオン１３を回転可能に支持する本実施形態に係る磁性流体シール付き軸受３０Ｃ，３０Ｄについて詳しく説明する。なお、これらの磁性流体シール付き軸受３０Ｃ，３０Ｄは同一の構造を成すため、以下、ピニオン１３の右側端部を回転可能に支持する磁性流体シール付き軸受３０Ｄについてのみ説明する。
【００２３】
特に、図４に示されるように、ピニオン１３の右側端部を回転可能に支持する磁性流体シール付き軸受３０Ｄは、軸受本体３２と、軸受本体３２内（後述する内輪３１と外輪３６との間）に配置されて軸受本体３２の内部をシールする磁性流体シール３４とから成り、これらが一体のユニットとして構成される。軸受本体３２は、ピニオン１３の外周面に嵌合してこれを支持する磁性体から成る内輪３１と、磁性体から成る外輪３６と、内輪３１と外輪３６との間に転動可能に介挿される転動体３５とから成る。転動体３５は、左右の密閉板間に位置され、内輪３１、外輪３６、および、リテーナ（図示せず）によって保持される。
【００２４】
一方、磁性流体シール３４は、軸受本体３２に一体に保持されており、本実施形態では、内輪３１および外輪３６との間で磁気回路を形成して軸受本体３２の内部をシールする。具体的には、磁性流体シール３４は、内外輪３１，３６との間で磁気回路を形成する磁石（本実施形態では、軸方向に着磁された磁石）、磁石を保持する単一または一対の極板３７、内外輪３１，３６と極板３７との間に保持される磁性流体４０とから成る。なお、磁性流体シール３４は、極板３７が外輪３６とだけ或いは内輪３１とだけ磁気回路を形成して、磁性流体が極板３７と外輪３６との間にのみ或いは極板３７と内輪３１との間にのみ保持されてもよく、あるいは、極板３７と外輪３６および内輪３１との間に保持されてもよく、または、他の適した形態であってもよく、その構成形態が限定されない。また、以上の構成は、スプール軸５を回転可能に支持する磁性流体シール付き軸受３０Ａ，３０Ｂについても同様である。
【００２５】
また、このような構成の磁性流体シール付き軸受３０Ｄに関しては、軸受本体３２の内部への異物の侵入を防止する保護壁６０，６０Ａがそれぞれ軸受本体３２の両側の側部に近接して対向配置される（勿論、保護壁が軸受の片側のみに設けられていても構わない）。
【００２６】
具体的に、磁性流体シール付き軸受３０Ｄの右側、すなわち、軸受３０Ｄを挟んでピニオン１３の歯部１３ａと反対側（磁性流体シール付き軸受３０Ｃに関しては、ピニオン１３の歯部１３ａに面する側）に位置される第１の保護壁６０は、軸受３０Ｄの右側面に近接して対向配置される環状の保護壁部６０ａと、内輪３１とピニオン１３（駆動軸）との間に介挿される筒状のカラー部６０ｂとから成り、これらの保護壁部６０ａおよびカラー部６０ｂは、例えば樹脂材料によって一体に形成されている。
【００２７】
また、磁性流体シール付き軸受３０Ｄの左側、すなわち、ピニオン１３の歯部１３ａに面する側に位置される第２の保護壁６０Ａは、軸受３０Ｄの左側面に近接して対向配置される板状の環状体から成り、この第２の保護壁６０Ａを構成するシール部材５２は、リール本体３ｂの例えば軸受支持部３ｂ’に係止される係止部材Ｒにより抜け止めされる。また、内輪３１およびピニオン１３と対向するこの第２の保護壁６０Ａの対向端部６９と内輪３１およびピニオン１３（外周面）との間には、保護壁６０Ａを構成するシール部材５２の内周面が内輪３１やピニオン１３の回転動作と干渉しないようにする隙間ｓが介在する。
【００２８】
なお、保護壁６０，６０Ａは、リール本体３ｂの例えば軸受支持部３ｂ’に一体に設けられ或いは着脱自在に設けられてもよく、また、軸受３０Ｄの抜け止めを兼用してもよい。また、保護壁６０，６０Ａは、樹脂材料（例えば、ポリアセタール等）の他、アルミなどの金属材料などの他の材料によっても形成できる。
【００２９】
また、本実施形態において、ピニオン１３の外周面には、磁性流体シール付き軸受３０Ｄの軸受本体３２へと向かうオイル、異物等を受けるための環状の凹部５０が設けられている。本実施形態において、この凹部５０は、ピニオン１３の歯部１３ａと軸受３０Ｄとの間のピニオン１３の外周面部位に設けられる。
【００３０】
このように、本実施形態によれば、磁性流体により内部がシールされた磁性流体シール付き軸受３０Ｃ，３０Ｄの側部に近接して保護壁６０，６０Ａが対向配置されるため、リール作動時やメンテナンス時（注油時）などにおいてグリスやオイル、あるいは、海水、砂、塵埃等の異物が磁性流体シール付き軸受３０Ｃ，３０Ｄの軸受内部に混入（付着・侵入）することを防止でき、したがって、磁性流体の性能劣化（磁気シール機能の性能劣化）を防止できる。特に、本実施形態では、クラッチの切り換え操作で軸方向移動するピニオン１３の軸受３０Ｃ，３０Ｄにこのような構造を採用したため、駆動歯車１２と噛み合うピニオン１３の歯部１３ａに塗布されるグリスの分離したオイルがピニオン１３の軸方向移動に伴ってしごかれて磁性流体シール付き軸受３０Ｃ，３０Ｄの軸受内部に混入して磁性流体を劣化させることを未然に防止できる。そのため、駆動軸であるピニオン１３の回転性能やクラッチ性能の維持が図れる。
【００３１】
また、本実施形態では、ピニオン１３の外周面に、磁性流体シール付き軸受３０Ｄの軸受本体３２へと向かう異物を受けるための環状の凹部５０が設けられているため、ピニオン１３の歯部１３ａに塗布されるグリスの分離したオイルを軸受３０Ｄへと至る前に堰き止めることができ、保護壁６０，６０Ａとの相乗効果により軸受内部への異物の侵入を確実に防止できる。また、本実施形態では、一方の保護壁６０が、内輪３１とピニオン１３との間に介挿される筒状のカラー部６０ｂを有するため、軸受３０Ｃ，３０Ｄを回り込むような異物の流れを防止でき、有益である。
【００３２】
また、本実施形態によれば、磁性流体シール３４が軸受本体３２内に一体に組み込まれて成るため、軸受本体３２の設置スペースとは別にシールのためのスペースを確保する必要がなくなる。そのため、小さいスペースで磁気シールおよび軸受を設置でき、省スペース化を図ることができる。軸受の数が一般に多く且つシールの必要性が高い魚釣用リールにおいてこのような構成を採用することは、軸受と別個に磁気シール機構を設けずに済むため、リール全体の小型化を図ることができ有益である。また、軸受の組み込みとは別に磁気シール機構を組み付ける必要がないため、組み込み性（作業性）が良く、生産性を向上できる（つまり、組み立て作業時間を短くでき、製造コストも低減できる）。また、特に、このような構成では、磁性流体シールの磁気シールされていない側をＯリングを介在してシールする必要がないため、磁気シール部が動き易くなって磁性流体シールが軸受本体と上手く一体化しないという問題を生じさせないで済む。
【００３３】
更に、本実施形態において、磁性流体シール３４は、軸受本体３２以外の他の部材との間で磁気回路を形成するのではなく、軸受本体３２の内輪３１または外輪３６との間で磁気回路を形成するため、前記他の部材の材料選択の自由度が制限されず（駆動軸等を磁性体で形成する必要がなく）、前記他の部材に必要な要求品質を満足させる自由な材料選択を確保できる（前記他の部材に最適な材料を選択できる）。なお、本実施形態では、軸受支持部３ｂ’の開口端部外周にＯリングＡが装着されるとともに、スプール軸５の端部を押圧してスプール６に回転抵抗力を付与する調整体Ｂが軸受支持部３ｂ’に螺合されて、ＯリングＡによりこれらの間の水密性が確保されている（図４参照）が、前述の保護壁６０，６０Ａと組み合わせることで、海水、砂、塵埃等の内部への侵入をより確実にかつ効果的に防止できる。
【００３４】
図５は、前述した第１の実施形態の変形例を示している。この変形例では、ピニオン１３の外周面に設けられる第１の実施形態の環状の凹部５０に代えて、環状の凸部５８が設けられる。なお、それ以外の構成は第１の実施形態と同じである。
【００３５】
このような凸部５８であっても、磁性流体シール付き軸受３０Ｄの軸受本体３２へと向かう異物を受けることができ、特に、ピニオン１３の歯部１３ａに塗布されるグリスの分離したオイルを軸受３０Ｄへと至る前に堰き止めることができる。
【００３６】
図６および図７は、本発明の第２の実施形態に係る磁性流体シール付き軸受を備える魚釣用リール（両軸受型リール）の要部拡大断面図を示している。図示のように、本実施形態では、第１の実施形態の第１の保護壁６０に代えて第２の保護壁６０Ａが設けられる。すなわち、磁性流体シール付き軸受３０Ｄの両側に第２の保護壁６０Ａが設けられる。また、これに加えて、磁性流体シール付き軸受３０Ｄの両側の第２の保護壁６０Ａのそれぞれには、その軸方向外側に、更なる第３の保護壁６０Ｂが重ねて配置して設けられる。この場合、第３の保護壁６０Ｂは、第２の保護壁６０Ａよりも径方向に長く延びてピニオン１３の外周面に更に近接するが、第２の保護壁６０Ａと同様、内輪３１およびピニオン１３と対向するその対向端部と内輪３１およびピニオン１３（外周面）との間にピニオン１３の回転動作と干渉しないようにする隙間ｓが介在する。なお、この外側の第３の保護壁６０Ｂは、軸受３０Ｄの抜け止めを兼用しており、真鍮またはアルミから成るワッシャから形成されてもよく、また、内側の第２の保護壁６０Ａは、樹脂ワッシャまたはフェルトから形成されてもよく、何れの保護壁６０Ａ，６０Ｂも、シール性を高める観点から、磁性流体が含浸されるのが好ましい。また、本実施形態では、磁性流体シール付き軸受３０Ｄの軸受本体３２へと向かうオイル、異物等を受けるための環状の凹部５０および環状の凸部５８がそれぞれ隣接してピニオン１３の外周面に設けられる。この場合、ピニオン１３の歯部１３ａ側に凸部５８が設けられ、軸受３０Ｄ側に凹部５０が設けられる。
【００３７】
このような保護壁６０Ａ，６０Ｂの積層構造によっても、第１の実施形態と同様または更に良好なシール効果（異物混入防止効果）を得ることができる。
【００３８】
図８および図９は、本発明の第３の実施形態に係る磁性流体シール付き軸受を備える魚釣用リール（両軸受型リール）の要部拡大断面図を示している。図示のように、本実施形態は第１の実施形態の変形例であり、第１の実施形態における第１の保護壁６０のカラー部６０ｂの端部（保護壁部６０ａが形成される端部と反対側の端部）に係止部６３が設けられ、この係止部６３には、第２の保護壁６０Ａが着脱自在に弾性的に係止されている。特に本実施形態では、係止部６３の外周（係止部６３が複数の周方向の突起でもよい）に対して保護壁６０Ａの内周が圧入係止されている。つまり、本実施形態において、カラー部６０ｂは、軸受３０Ｄの両側に位置する保護壁同士（本実施形態では、第１の保護壁６０の保護壁部６０ａと第２の保護壁６０Ａ）を一体化させることにより、これらの保護壁を軸受３０Ｄに一体化させている。なお、リール本体３ｂの例えば軸受支持部３ｂ’に係止される係止部材Ｒ１は、多角形状の止め輪であり、ユニット化された軸受３０Ｄの軸受支持部３ｂ’からの抜け止めを行う。
【００３９】
このように、本実施形態では、磁性流体シール付き軸受３０Ｃ，３０Ｄと保護壁５０，６０Ａとが一体のユニットを形成するため、組み込み性に優れ、軸受本体の確実なシール効果（異物混入防止効果）を実現できる。
【００４０】
以上、本発明の実施形態を説明してきたが、本発明は、前述した実施形態に限定されず、その要旨を逸脱しない範囲で種々変形して実施できることは言うまでもない。例えば、磁性流体シールの構成形態は、適用部位に応じて適宜変形することが可能である。また、磁性流体によってシールを確保できる限り、極板、磁石、磁性流体の位置は任意であり、何ら限定されるものではない。また、前述した実施形態では、本発明の構成が両軸受リールに適用されているが、スピニングリールに適用できることは言うまでもない。また、無論、前述した各実施形態の組み合わせも可能である。また、前述した実施形態では、ピニオン１３を回転可能に支持する磁性流体シール付き軸受３０Ｃ，３０Ｄについて説明してきたが、他の駆動軸としてのスプール軸５、ウォームシャフト２３、および、ハンドル軸９などを回転可能に支持する軸受も、磁性流体シール付き軸受３０Ｃ，３０Ｄと同様に構成されてもよい。
【符号の説明】
【００４１】
１  リール本体
６  スプール
８  ハンドル
１３  ピニオン軸（駆動軸）
３０Ｃ，３０Ｄ  磁性流体シール付き軸受
３１  内輪
３２  軸受本体
３４  磁性流体シール
３５  転動体
３６  外輪
３７  極板
４０  磁性流体
５０  凹部
５８  凸部
６０，６０Ａ，６０Ｂ  保護壁
６０ｂ  カラー部
ｓ  隙間
【図１】
0005913254.tif 000002
【図２】
0005913254.tif 000003
【図３】
0005913254.tif 000004
【図４】
0005913254.tif 000005
【図５】
0005913254.tif 000006
【図６】
0005913254.tif 000007
【図７】
0005913254.tif 000008
【図８】
0005913254.tif 000009
【図９】
0005913254.tif 000010